【手続補正書】
【提出日】平成19年8月16日(2007.8.16)
【手続補正１】
【補正対象書類名】特許請求の範囲
【補正対象項目名】全文
【補正方法】変更
【補正の内容】
【特許請求の範囲】
【請求項１】
被測定者の年齢データを取得する年齢データ取得手段と、被測定者の身長データを取得する身長データ取得手段と、被測定者の体重データを取得する体重データ取得手段と、被測定者の生体電気インピーダンスデータを取得するインピーダンスデータ取得手段と、被測定者の除脂肪量データを取得する除脂肪量データ取得手段と、少なくとも除脂肪量データと年齢データとに基づいて被測定者の基礎代謝量を算出する基礎代謝量算出手段とを備えてなる基礎代謝量測定装置であって、
被測定者が妊婦である場合にその胎児部分の重量データを取得する胎児部分重量データ取得手段を更に備え、
前記除脂肪量データ取得手段は、少なくとも取得された身長データと体重データとインピーダンスデータと胎児部分重量データとに基づいて被測定者たる妊婦の母体の除脂肪量データを算出し、前記基礎代謝量算出手段は、母体の除脂肪量データに胎児部分重量データを加算して得られる重量データと年齢データとに基づいて被測定者たる妊婦の基礎代謝量を算出することを特徴とする基礎代謝量測定装置。
【請求項２】
請求項１記載の基礎代謝量測定装置であって、
前記胎児部分重量データ取得手段は、被測定者たる妊婦の妊娠後の経過期間データを取得する妊娠期間データ取得手段と、この妊娠期間データに基づいて胎児部分の重量データを決定する胎児部分重量データ決定手段とを含んでなることを特徴とする基礎代謝量測定装置。
【請求項３】
被測定者の年齢データを取得する年齢データ取得手段と、被測定者の身長データを取得する身長データ取得手段と、被測定者の体重データを取得する体重データ取得手段と、被測定者の生体電気インピーダンスデータを取得するインピーダンスデータ取得手段と、被測定者の除脂肪量データを取得する除脂肪量データ取得手段と、少なくとも除脂肪量データと年齢データとに基づいて被測定者の基礎代謝量を算出する基礎代謝量算出手段とを備えてなる基礎代謝量測定装置であって、
被測定者が妊婦である場合にその胎児部分の重量データを取得する胎児部分重量データ取得手段と、被測定者たる妊婦の妊娠後の経過期間データを取得する妊娠期間データ取得手段とを更に備え、
前記除脂肪量データ取得手段は、少なくとも取得された身長データと体重データとインピーダンスデータと胎児部分重量データとに基づいて被測定者たる妊婦の母体の除脂肪量データを算出し、前記基礎代謝量算出手段は、母体の除脂肪量データと年齢データとに基づいて被測定者たる妊婦の母体の基礎代謝量を算出すると共に、妊娠期間データに基づいて胎児部分の基礎代謝量を算出し、且つ、これら母体の基礎代謝量と胎児部分の基礎代謝量とを合算することによって被測定者たる妊婦の基礎代謝量を算出することを特徴とする基礎代謝量測定装置。
【請求項４】
請求項３記載の基礎代謝量測定装置であって、
前記胎児部分重量データ取得手段は、前記妊娠期間データ取得手段で取得された妊娠期間データに基づいて胎児部分の重量データを決定する胎児部分重量データ決定手段を含んでなることを特徴とする基礎代謝量測定装置。
【請求項５】
請求項２乃至４記載の基礎代謝量測定装置であって、
前記妊娠期間データ取得手段は、測定日データを取得する測定日データ取得手段と、被測定者たる妊婦の出産予定日データを取得する出産予定日データ取得手段と、これら測定日データと出産予定日データとに基づいて妊娠後の経過期間データを決定する妊娠期間データ決定手段とを含んでなることを特徴とする基礎代謝量測定装置。
【手続補正２】
【補正対象書類名】明細書
【補正対象項目名】００１５
【補正方法】変更
【補正の内容】
【００１５】
本発明の基礎代謝量測定装置は、被測定者の年齢データを取得する年齢データ取得手段と、被測定者の身長データを取得する身長データ取得手段と、被測定者の体重データを取得する体重データ取得手段と、被測定者の生体電気インピーダンスデータを取得するインピーダンスデータ取得手段と、被測定者の除脂肪量データを取得する除脂肪量データ取得手段と、少なくとも除脂肪量データと年齢データとに基づいて被測定者の基礎代謝量を算出する基礎代謝量算出手段とを備えてなる基礎代謝量測定装置であって、被測定者が妊婦である場合にその胎児部分の重量データを取得する胎児部分重量データ取得手段を更に備え、前記除脂肪量データ取得手段は、少なくとも取得された身長データと体重データとインピーダンスデータと胎児部分重量データとに基づいて被測定者たる妊婦の母体の除脂肪量データを算出し、前記基礎代謝量算出手段は、母体の除脂肪量データに胎児部分重量データを加算して得られる重量データと年齢データとに基づいて被測定者たる妊婦の基礎代謝量を算出するものである。
【手続補正３】
【補正対象書類名】明細書
【補正対象項目名】００１６
【補正方法】削除
【補正の内容】
【手続補正４】
【補正対象書類名】明細書
【補正対象項目名】００１８
【補正方法】変更
【補正の内容】
【００１８】
或いは、本発明の基礎代謝量測定装置は、被測定者の年齢データを取得する年齢データ取得手段と、被測定者の身長データを取得する身長データ取得手段と、被測定者の体重データを取得する体重データ取得手段と、被測定者の生体電気インピーダンスデータを取得するインピーダンスデータ取得手段と、被測定者の除脂肪量データを取得する除脂肪量データ取得手段と、少なくとも除脂肪量データと年齢データとに基づいて被測定者の基礎代謝量を算出する基礎代謝量算出手段とを備えてなる基礎代謝量測定装置であって、被測定者が妊婦である場合にその胎児部分の重量データを取得する胎児部分重量データ取得手段と、被測定者たる妊婦の妊娠後の経過期間データを取得する妊娠期間データ取得手段とを更に備え、前記除脂肪量データ取得手段は、少なくとも取得された身長データと体重データとインピーダンスデータと胎児部分重量データとに基づいて被測定者たる妊婦の母体の除脂肪量データを算出し、前記基礎代謝量算出手段は、母体の除脂肪量データと年齢データとに基づいて被測定者たる妊婦の母体の基礎代謝量を算出すると共に、妊娠期間データに基づいて胎児部分の基礎代謝量を算出し、且つ、これら母体の基礎代謝量と胎児部分の基礎代謝量とを合算することによって被測定者たる妊婦の基礎代謝量を算出するものである。
【手続補正５】
【補正対象書類名】明細書
【補正対象項目名】００２７
【補正方法】変更
【補正の内容】
【００２７】
本発明の基礎代謝量測定装置は、被測定者の年齢データを取得する年齢データ取得手段と、被測定者の身長データを取得する身長データ取得手段と、被測定者の体重データを取得する体重データ取得手段と、被測定者の生体電気インピーダンスデータを取得するインピーダンスデータ取得手段と、被測定者の除脂肪量データを取得する除脂肪量データ取得手段と、少なくとも除脂肪量データと年齢データとに基づいて被測定者の基礎代謝量を算出する基礎代謝量算出手段とを備えてなる基礎代謝量測定装置であって、被測定者が妊婦である場合にその胎児部分の重量データを取得する胎児部分重量データ取得手段を更に備え、前記除脂肪量データ取得手段は、少なくとも取得された身長データと体重データとインピーダンスデータと胎児部分重量データとに基づいて被測定者たる妊婦の母体の除脂肪量データを算出し、前記基礎代謝量算出手段は、母体の除脂肪量データに胎児部分重量データを加算して得られる重量データと年齢データとに基づいて被測定者たる妊婦の基礎代謝量を算出するものである。
【手続補正６】
【補正対象書類名】明細書
【補正対象項目名】００２８
【補正方法】削除
【補正の内容】
【手続補正７】
【補正対象書類名】明細書
【補正対象項目名】００３０
【補正方法】変更
【補正の内容】
【００３０】
或いは、本発明の基礎代謝量測定装置は、被測定者の年齢データを取得する年齢データ取得手段と、被測定者の身長データを取得する身長データ取得手段と、被測定者の体重データを取得する体重データ取得手段と、被測定者の生体電気インピーダンスデータを取得するインピーダンスデータ取得手段と、被測定者の除脂肪量データを取得する除脂肪量データ取得手段と、少なくとも除脂肪量データと年齢データとに基づいて被測定者の基礎代謝量を算出する基礎代謝量算出手段とを備えてなる基礎代謝量測定装置であって、被測定者が妊婦である場合にその胎児部分の重量データを取得する胎児部分重量データ取得手段と、被測定者たる妊婦の妊娠後の経過期間データを取得する妊娠期間データ取得手段とを更に備え、前記除脂肪量データ取得手段は、少なくとも取得された身長データと体重データとインピーダンスデータと胎児部分重量データとに基づいて被測定者たる妊婦の母体の除脂肪量データを算出し、前記基礎代謝量算出手段は、母体の除脂肪量データと年齢データとに基づいて被測定者たる妊婦の母体の基礎代謝量を算出すると共に、妊娠期間データに基づいて胎児部分の基礎代謝量を算出し、且つ、これら母体の基礎代謝量と胎児部分の基礎代謝量とを合算することによって被測定者たる妊婦の基礎代謝量を算出するものである。
【手続補正８】
【補正対象書類名】明細書
【補正対象項目名】００３３
【補正方法】変更
【補正の内容】
【００３３】
以下、本発明の第一実施例について、図１から図７までを参照して説明する。図１は、本発明の実施例たる基礎代謝量測定装置１の外観斜視図である。図２は、この基礎代謝量測定装置１の電気回路構成を表す概略図である。図３は、この基礎代謝量測定装置１の操作部の拡大図である。図４は、第一実施例としての基礎代謝測定装置１で実行される制御処理プログラムのフローチャートである。図５は、第一実施例の基礎代謝量測定装置１で用いられる妊娠週数と胎児部分重量データとの関係を表す図である。図６は、第一実施例の基礎代謝量測定装置１で用いられる妊婦用の基礎代謝量算定式の正確性を検証した図である。図７は、第一実施例の基礎代謝量測定装置１における印刷出力例を表す図である。
【手続補正９】
【補正対象書類名】明細書
【補正対象項目名】００８１
【補正方法】変更
【補正の内容】
【００８１】
【図１】本発明の実施例たる基礎代謝量測定装置１の外観斜視図である。
【図２】この基礎代謝量測定装置１の電気回路構成を表す概略図である。
【図３】この基礎代謝量測定装置１の操作部の拡大図である。
【図４】第一実施例としての基礎代謝測定装置１で実行される制御処理プログラムのフローチャートである。
【図５】第一実施例の基礎代謝量測定装置１で用いられる妊娠週数と胎児部分重量データとの関係を表す図である。
【図６】第一実施例の基礎代謝量測定装置１で用いられる妊婦用の基礎代謝量算定式の正確性を検証した図である。
【図７】第一実施例の基礎代謝量測定装置１における印刷出力例を表す図である。
【図８】第二実施例としての基礎代謝測定装置１で実行される制御処理プログラムのフローチャートである。
【図９】第二実施例としての基礎代謝量測定装置１で用いられる妊娠週数と胎児部分の基礎代謝量との関係を表す図である。
【図１０】厚生労働省の基礎代謝量算出方法を検証した図である。
【図１１】特許文献１の基礎代謝量演算方法を検証した図である。